(57)【特許請求の範囲】
【請求項１】
電気機器収納箱の筐体の換気口に対応した開口部を有するベース部材と、前記ベース部材の開口部に対し外側から取り付けられるルーバユニットと、前記ベース部材に着脱可能に装着されるカバー部材とを備えるフード付きルーバ換気装置であって、前記ベース部材には、前記筐体に当該ベース部材を外側から固定するための固定手段と、前記ルーバユニットを仮止めするための係止手段と、前記ベース部材および前記ルーバユニットを前記筐体の内側から共締めで当該筐体に固定するための第２の固定手段とを設けたことを特徴とするルーバ換気装置。
【請求項２】
前記ベース部材の前面には、前記ルーバユニットの外面に適合して当該ルーバユニットを所定の設置位置にガイドする段部が形成され、前記第２の固定手段が前記段部より内側に設けられていることを特徴とする、請求項１に記載のルーバ換気装置。
【発明の詳細な説明】
【技術分野】
【０００１】
本発明は、電気機器収納箱等に外付けされるルーバ換気装置に関する。
【背景技術】
【０００２】
従来、屋外に設置される電気機器収納箱においては、筐体に設けられる換気口の防塵および防水性能を確保したフード付きの換気装置が備えられている。例えば特許文献１に記載の換気装置は、フードの背面側にルーバを挿入した状態で、筐体の内側からフードがネジ止めされる構造を有している。
【先行技術文献】
【特許文献】
【０００３】
【特許文献１】実開平０６−１３３０４号公報
【発明の概要】
【発明が解決しようとする課題】
【０００４】
上述した従来のフード付きの換気装置は、筐体の内側からネジ等で取り付けられる。そのため、筐体が大型で換気装置の前後にまで作業員の両手が届かない現場では、作業員一人では換気装置を筐体に取り付けることができないという課題があった。
【０００５】
本発明は、電気機器収納箱の筐体への取付作業性を向上させたルーバ換気装置を提供することを目的としている。
【課題を解決するための手段】
【０００６】
上記課題を解決するためになされた本発明は、電気機器収納箱の筐体の換気口に対応した開口部を有するベース部材と、前記ベース部材の開口部に対し外側から取り付けられるルーバユニットと、前記ベース部材に着脱可能に装着されるカバー部材とを備えるフード付きルーバ換気装置であって、前記ベース部材には、前記筐体に当該ベース部材を外側から固定するための固定手段と、前記ルーバユニットを仮止めするための係止手段と、前記ベース部材および前記ルーバユニットを前記筐体の内側から共締めで当該筐体に固定するための第２の固定手段とを設けたことを特徴とするものである。
【０００７】
この構成のルーバ換気装置によれば、ルーバユニットをベース部材に仮止めした状態で筐体に取り付けが可能であり、ルーバユニットを筐体の外から手で支える必要がなく、作業員一人でもルーバ換気装置の取り付けが可能になる。したがって、ルーバ換気装置の取付作業性を向上させることができる。
【０００９】
この構成によれば、ベース部材を筐体の外側から一次的に固定するため、筐体の内側からベース部材を固定する際の作業性を向上させることができる。
【００１０】
また、前記ベース部材の前面には、前記ルーバユニットの外面に適合して当該ルーバユニットを所定の設置位置にガイドする段部が形成されていることが好ましい。
【００１１】
この構成によれば、ルーバユニットの位置合わせが容易となり、ルーバ換気装置の取付作業性を更に向上させることができる。
【００１２】
また、前記ベース部材および前記ルーバユニットを前記筐体の内側から共締めで当該筐体に固定するための第２の固定手段が前記段部内に設けられていることが好ましい。
【００１３】
この構成によれば、第２の固定手段をベース部材の段部内に形成したことにより、当該固定手段がルーバユニットにより塞がれる。したがって、悪戯等でカバー部材が取り外されても、筐体の外側からはルーバユニットやベース部材を取り外すことができない。
【発明の効果】
【００１４】
本発明によれば、ルーバユニットをベース部材に仮止めした状態で筐体に取り付けが可能であり、作業員一人でもルーバ換気装置の取り付けが可能になる。したがって、ルーバ換気装置の取付作業性を向上させることができる。
【図面の簡単な説明】
【００１５】
【図１】ルーバ換気装置を前上方から見た斜視図である。
【図２】ルーバ換気装置を後上方から見た斜視図である。
【図３】ルーバ換気装置の分解斜視図である。
【図４】カバー部材を後上方から見た斜視図である。
【図５】ベース部材を前上方から見た斜視図である。
【図６】ルーバユニットを前上方から見た斜視図である。
【図７】ルーバユニットを後上方から見た斜視図である。
【発明を実施するための形態】
【００１６】
本発明に係るルーバ換気装置の好適な実施形態を、以下図面を参照して説明する。図１は、本発明の一実施形態によるルーバ換気装置１０であり、前上方から見た斜視図である。図２はそのルーバ換気装置１０を後上方から見た斜視図である。図３は、ルーバ換気装置１０の分解斜視図である。ルーバ換気装置１０は、屋外等に設置される電気機器収納箱の換気口に取り付けられ、風雨や埃が筐体内に吹き込まないようにするためにフード状のカバー部材２０を備えている。
【００１７】
図３に示すように、ベース部材３０は、電気機器収納箱の筐体９０の外面に取り付けられる取付基板である。ベース部材３０と筐体９０との間には、例えば防水性のパッキン６０が介装される。本実施形態では、ベース部材３０の前面（外側に相当）に、フィルタ５０を保持するルーバユニット４０が設けられ、ルーバユニット４０を覆うカバー部材２０が、前方からベース部材３０に着脱可能に取り付けられる。フィルタ５０は、ベース部材３０の開口部３１を覆う位置で、ルーバユニット４０内に介装される。
【００１８】
カバー部材２０は、その背面側がベース部材３０の前面側に係合することで、ベース部材３０に装着される。ここで、図４にカバー部材２０の背面側の構造を示し、図５にベース部材３０の前面側の構造を示す。
【００１９】
カバー部材２０は、例えば合成樹脂により一体成型される部材であり、上板部２０ａ、側板部２０ｂ、２０ｂ、前傾斜板部２０ｃを備え、裏面側および下部側が開放された、いわゆるフード状の形態を有している。カバー部材２０をベース部材３０の開口部を覆うように装着すると、当該カバー部材２０の下部に、左側板部２０ｂ、前傾斜板部２０ｃ、右側板部２０ｂおよびベース部材３０で囲われる通気用の開口が画成される。
【００２０】
カバー部材２０の側板部２０ｂ、２０ｂの下部後端隅部には、嵌合凹部２２、２２がそれぞれ形成されている。嵌合凹部２２は、側板部２０ｂの側面の一部と前面の一部が四角に切り欠かれた形状となっている。また、カバー部材２０の側板部２０ｂ、２０ｂには、嵌合凹部２２、２２に隣接して互いに開放部２１内に向かって突出する突起片２３、２３が形成されている。
【００２１】
カバー部材２０の内壁には、左側板部２０ｂ、前傾斜板部２０ｃおよび右側板部２０ｂに亘り突出する補強リブ２４が形成されている。補強リブ２４は、カバー部材２０の下端から突起片２３の高さに相当する高さ位置に形成される。補強リブ２４の端部は突起片２３、２３に接続しておらず、それらの間には間隙２５が設けられている。このような補強リブ２４により、カバー部材２０全体の強度を確保するとともに、後述するようにカバー部材２０の着脱に際して押圧されたときの側板部２０ｂ、２０ｂの弾性変形をある程度許容している。
【００２２】
ベース部材３０は、中央に通気用の開口部３１を有する略台形状の取付板部３２を有する合成樹脂製の部材からなる。ベース部材３０の左右両端の下方部には、嵌合凸部３３、３３が形成されている。これら嵌合凸部３３、３３に、カバー部材２０の側板部２０ｂ、２０ｂの隅部に形成した嵌合凹部２２、２２を係合させることで、カバー部材２０がベース部材３０に着脱可能に装着される。
【００２３】
また、ベース部材３０には、上述したカバー部材２０の突起片２３、２３を案内するフランジ状のガイド部３４が形成されている。ガイド部３４は、取付板部３２の前方側に当該取付板部３２の側辺および上辺に沿い、それらと一定の距離だけ離間して対向している。ガイド部３４の左右両下端は、ベース部材３０の底板部（覆い部）３５に接続しており、その接続部分が規制片３６、３６となっている。
【００２４】
カバー部材２０の嵌合凹部２２、２２にベース部材３０の嵌合凸部３３、３３を係合させた装着位置では、カバー部材２０の突起片２３、２３が、ベース部材３０の規制片３６、３６に係止した状態にある。そのため、カバー部材２０の前方への移動、つまり取り外しが規制される。
【００２５】
また、ガイド部３４において、規制片３６、３６よりも上方であって、かつ、嵌合凸部３３、３３よりも若干上方の位置に切欠き部３７、３７が形成されている。
【００２６】
また、ベース部材３０には、当該ベース部材３０を筐体９０に外側から固定するためのネジ穴（第１の固定手段）８０が穿設されている。ベース部材３０の開口部３１の周辺の２箇所には、ルーバユニット４０を仮止めするため先端に鈎状の返しを有する係止片（係止手段）３８、３８が突出形成されている。更に、開口部３１周辺の四隅には、仮止めしたルーバユニット４０とともにベース部材３０を電気機器収納箱の筐体９０にネジ９１、９１、・・・で固定するためのネジ穴（第２の固定手段）３９、３９、・・・が形成されている。
【００２７】
図６は、ルーバユニット４０を前上方から見た斜視図である。図７は、ルーバユニット４０を後上方から見た斜視図である。ルーバユニット４０は、前面側に複数枚のガラリ（羽根板）４１、４１を有し、背面の支持枠部４２でフィルタ５０が内部に支持されている。ルーバユニット４０の背面四隅には、インサートナット４３、４３、・・・が形成されている。
【００２８】
かかる構成のルーバ換気装置１０を電気機器収納箱の筐体９０へ取り付ける方法について説明する。
【００２９】
（ベース部材の取付）
先ず、ベース部材３０のネジ穴８０にネジ９２を前方から挿入し、筐体９０のタップ孔９３にネジ９２を螺入することにより、ベース部材３０が外側から筐体９０にネジ止めされる。
【００３０】
（ルーバユニットの設置）
次に、ルーバユニット４０の背面側を、ベース部材３０の係止片３８、３８に係止して仮止めしておき、筐体９０の内側から複数（４本）のネジ９１を、ネジ穴９４、３９に挿入し、最後にルーバユニット４０の背面側のインサートナット４３に螺入することにより、ルーバユニット４０およびベース部材３０が共締めされて筐体９０にしっかりと本締めされる。
【００３１】
なお、ルーバユニット４０をベース部材３０に仮止めした状態で、ベース部材３０をネジ９２で外側から筐体９０に一次的に固定した後、筐体９０の内側からネジ９１でルーバユニット４０およびベース部材３０を筐体９０に本締めしてもよい。
【００３２】
従来、筐体９０が大型であったり、換気装置１０を取り付ける換気口が扉から遠い例えば背板にあるときには、換気装置１０の前後に作業員の両手を回しても手が届かないこともあり、その場合、作業員一人では換気装置１０を取り付けできないという課題があった。しかし、本実施形態では、ルーバユニット４０を仮止めしたベース部材３０を筐体９０の外側から第１の固定手段で固定した後、筐体９０の内側からルーバユニット４０およびベース部材３０を共締めで第２の固定手段で固定するため、筐体９０が大型でも作業員一人で換気装置１０を設置することができる。
【００３３】
また、ベース部材３０の前面には、ルーバユニット４０の外面に適合して当該ルーバユニット４０を所定の設置位置にガイドする段部７３が形成されていることが好ましい。このような段部７３を設けることにより、ルーバユニット４０を所定の設置位置に容易に位置合わせすることができ、作業性を向上させることができる。
【００３４】
なお、段部７３は、係止片３８の高さよりも浅く形成されているが、同じ高さであってもよい。係止片３８は、ルーバユニット４０に隠れ見えない構造となっており、段部７３でガイドすることにより、ルーバユニット４０の位置合わせをしながら容易に係止させることができる。
【００３５】
また、第２の固定手段であるネジ穴３９、３９、・・・を段部７３より内側に形成したことにより、ネジ穴３９、３９、・・・がルーバユニット４０により塞がれ、カバー部材２０が取り外されても、ネジ穴３９、３９、・・・に対する悪戯等を防止することができる。また、ルーバユニット４０があることにより、ネジ穴３９の隙間から水の浸入も防ぐこともできる。
【００３６】
（カバー部材の装着）
カバー部材２０をベース部材３０に装着するには、先ず、カバー部材２０の突起片２３、２３を切欠き部３７、３７の外側を通してガイド部３４の奥に設置し、側板部２０ｂ、２０ｂを押圧して内側に撓ませながらカバー部材２０を下方に移動させる。そしてカバー部材２０の下部とベース部材３０の底板部（覆い部）３５とが当接する装着位置で押圧を開放することで嵌合凸部３３と嵌合凹部２２とが係合し、これによりカバー部材２０がベース部材３０に容易に装着される。
【符号の説明】
【００３７】
１０  ルーバ換気装置
２０  カバー部材
２１  開放部
２２  嵌合凹部
２３  突起片
３０  ベース部材
３１  開口部
３２  取付板部
３３  嵌合凸部
３４  ガイド部
３５  底板部
３６  規制片
３８  係止片
３９  ネジ穴（第２の固定手段）
４０  ルーバユニット
４２  支持枠部
４３  インサートナット
５０  フィルタ
７３  段部
８０  ネジ穴（第１の固定手段）
９０  筐体
【図１】
0006719813.tif 000002
【図２】
0006719813.tif 000003
【図３】
0006719813.tif 000004
【図４】
0006719813.tif 000005
【図５】
0006719813.tif 000006
【図６】
0006719813.tif 000007
【図７】
0006719813.tif 000008